(57)【特許請求の範囲】
【請求項１】
集合住宅の集合玄関に設置され来訪者が居住者を呼び出して通話を成立させるための集合玄関機（１）と、前記集合住宅の複数の住戸にそれぞれ設置され前記来訪者からの呼び出しに応答した前記居住者が通話を成立させるための居室親機（３ａ、３ｂ、・・・）と、前記住戸の住戸玄関を施錠又は解錠させるための玄関電気錠（５ａ、５ｂ、・・・）と、前記集合玄関機及び前記居室親機をそれぞれ制御するための制御機（９）とを設け、
前記制御機には、地震の発生、津波の発生、近隣火災の発生等の緊急通報情報を生成するための外部機器（７）が接続され、
前記居室親機には、前記居住者が住戸内に在室又は不在であるかを設定するための在室・不在ボタン（３０１ｃ）と、前記在室・不在ボタンの操作を検出して前記在室又は前記不在の設定情報を生成するための居室ＣＰＵ（３０５）とを備え、
前記制御機には、前記外部機器からの前記緊急通報情報が受信されたとき、前記居室親機の前記在室・不在ボタンの操作により前記在室の設定が行われている住戸の前記玄関電気錠を解錠させるための制御機ＣＰＵ（９０１）と、前記居室親機の前記在室・不在ボタンの操作により前記居室ＣＰＵにて生成される前記設定情報を記憶するための記憶部（９００）とを備え、
前記制御機の前記制御機ＣＰＵは、前記在室である旨の設定情報が前記記憶部に記憶されているとき、自住戸の当該玄関電気錠を通常の解錠時間よりも長く、或いは恒久的に解錠させることを特徴とする集合住宅インターホンシステム。
【発明の詳細な説明】
【技術分野】
【０００１】
本発明は、マンション等の集合住宅に設置される集合住宅インターホンシステムに係り、特に、地震の発生、津波の発生、近隣火災の発生等の緊急通報時における居住者の安全性を高めた集合住宅インターホンシステムに関する。
【背景技術】
【０００２】
従来から、この種の集合住宅インターホンシステムとして、地震火災発生時には確実に各居室親機において地震情報を報知することができる集合住宅インターホンシステムが開示されている（例えば、特許文献１を参照。）。
【０００３】
【特許文献１】特開２００７−１７４５４２号公報
【発明の開示】
【発明が解決しようとする課題】
【０００４】
背景技術に記載した特許文献１の集合住宅インターホンシステムによれば、地震火災発生時には確実に各居室親機において地震情報を報知することができるものの、この報知の際、居住者が住戸内に在室であった場合、住戸玄関の電気錠は通常、施錠されているため、住戸外への迅速な避難が困難となる虞があり、居住者の安全性が低下していた。
【０００５】
本発明は、この難点を解消するためになされたもので、地震の発生、津波の発生、近隣火災の発生等の緊急通報時において、住戸内に在室の居住者による住戸外への迅速な避難及び外部からの救助活動をそれぞれ容易とし、居住者の安全性を高めた集合住宅インターホンシステムを提供することを目的としている。
【課題を解決するための手段】
【０００６】
前述の目的を達成するため、本発明の集合住宅インターホンシステムは、集合住宅の集合玄関に設置され来訪者が居住者を呼び出して通話を成立させるための集合玄関機と、集合住宅の複数の住戸にそれぞれ設置され来訪者からの呼び出しに応答した居住者が通話を成立させるための居室親機と、住戸の住戸玄関を施錠又は解錠させるための玄関電気錠と、集合玄関機及び居室親機をそれぞれ制御するための制御機とを設けたものである。制御機には、地震の発生、津波の発生、近隣火災の発生等の緊急通報情報を生成するための外部機器が接続されている。居室親機には、居住者が住戸内に在室又は不在であるかを設定するための在室・不在ボタンと、在室・不在ボタンの操作を検出して在室又は不在の設定情報を生成するための居室ＣＰＵとを備えている。制御機には、外部機器からの緊急通報情報が受信されたとき、居室親機の在室・不在ボタンの操作により在室の設定が行われている住戸の前記玄関電気錠を解錠させるための制御機ＣＰＵと、居室親機の在室・不在ボタンの操作により居室ＣＰＵにて生成される設定情報を記憶するための記憶部とを備えている。制御機の制御機ＣＰＵは、在室である旨の設定情報が記憶部に記憶されているとき、自住戸の当該玄関電気錠を通常の解錠時間よりも長く、或いは恒久的に解錠させるものである。
【発明の効果】
【０００７】
本発明の集合住宅インターホンシステムによれば、集合住宅の複数の住戸において居住者は、居室親機の在室・不在ボタンを操作して在室又は不在を設定することができ、この設定情報は、制御機の記憶部に記憶される。また、制御機の制御機ＣＰＵは、地震の発生、津波の発生、近隣火災の発生等の緊急通報情報が外部機器から伝送されてきたとき、記憶部に在室の設定情報が記憶されている住戸の玄関電気錠を解錠させることができる。これにより、地震の発生、津波の発生、近隣火災の発生等の緊急通報時において、住戸内に在室の居住者による住戸外への迅速な避難及び外部からの救助活動がそれぞれ容易となり、居住者の安全性を高めることができる。
【発明を実施するための最良の形態】
【０００８】
以下、本発明の集合住宅インターホンシステムを適用した最良の実施の形態例について、図面を参照して説明する。図１は、本発明の実施例による集合住宅インターホンシステムの全体（外観）構成を示すシステム説明図であり、このシステムは、通常、マンション等の集合住宅に設置されている。
【０００９】
図１に示す集合住宅インターホンシステムは、集合住宅の集合玄関に設置される集合玄関機１と、集合玄関を施錠又は解錠するための集合玄関電気錠（図中においては「電気錠」とする。）２と、１０１号室、１０２号室、・・・のような集合住宅の複数の住戸（住戸内）にそれぞれ設置される居室親機３ａ、３ｂ、・・・と、玄関側居室ラインＬ4a、Ｌ4b、・・・をそれぞれ経由して居室親機３ａ、３ｂ、・・・に接続され、複数の住戸毎の住戸玄関にそれぞれ設置される玄関子機４ａ、４ｂ、・・・と、電気錠側居室ラインＬ5a、Ｌ5b、・・・をそれぞれ経由して居室親機３ａ、３ｂ、・・・に接続され、住戸玄関を施錠又は解錠するための玄関電気錠（図中においては「電気錠」とする。）５ａ、５ｂ、・・・と、集合住宅の管理室（管理室内）に設置される管理室親機６と、地震の発生、津波の発生、近隣火災の発生等の緊急通報情報を生成する例えば、気象庁や防災管理会社等に設置される外部機器７と、電話回線、ＩＳＤＮ、ＡＤＳＬ、光通信網等の各種の汎用ネットワーク８と、集合玄関側制御ラインＬ1を経由して接続される集合玄関機１、電気錠側制御ラインＬ2を経由して接続される集合玄関電気錠２、居室側制御ラインＬ3を経由してバス接続される居室親機３ａ、３ｂ、・・・、及び管理室側制御ラインＬ6を経由して接続される管理室親機６をそれぞれ制御するとともに、汎用ネットワーク８を経由して接続される外部機器７との間でデータ通信を行う制御機９とが設けられている。なお、居室親機３ａ、３ｂ、・・・及び制御機９の間の接続の態様は、居室側制御ラインＬ3を経由したバス接続に限定されるものではなく、例えば、渡り配線により接続することもできる。
【００１０】
集合玄関機１は、集合玄関に居る人物、例えば、来訪者が、複数の住戸のうち特定の住戸内に在室の居住者又は管理室内に在室の管理人を呼び出して通話を成立させるためのものであり、操作部１００、表示部１０１、カメラ部１０２及び通話部１０３を有している。ここで、操作部１００は、来訪者が所定の呼出操作を行うものであり、例えば、表示部１０１の前面に配置されたタッチパネル上の操作ボタンで構成されている。また、表示部１０１は、操作部１００にて行われる呼出操作の操作情報等を表示するためのものであり、例えば、ＬＣＤ、ＰＤＰ、有機ＥＬディスプレイ等の各種の出画表示媒体で構成されている。また、カメラ部１０２は、呼出操作を行った来訪者の映像や集合玄関の周囲近傍の映像（監視映像）を撮像するためのものであり、例えば、ＣＣＤ、ＣＭＯＳ等の各種の撮像素子媒体で構成されている。さらに、通話部１０３は、来訪者が居住者又は管理人との間で通話を成立させるための音声（送話音声、受話音声）を入出力するものであり、例えば、マイク及びスピーカで構成されている。なお、集合玄関機１には、前述の各機能の他に、通常、集合玄関電気錠２を施錠又は解錠するための機能が備えられている。
【００１１】
居室親機３ａ、３ｂ、・・・はそれぞれ同様な構成で個別の居室番号が割り当てられており、集合玄関に居る来訪者、自住戸の住戸玄関に居る来訪者及び管理室内に在室の管理人のうち何れかの人物からの呼び出しが報知され、この呼び出しに応答した居住者が通話を成立させるためのものであり、表示部３００、操作部３０１及び通話部３０２を有している。ここで、表示部３００は、集合玄関機１のカメラ部１０２又は玄関子機４ａ、４ｂ、・・・の後述するカメラ部４０１にて撮像された映像を出画するとともに、集合玄関に居る来訪者、自住戸の住戸玄関に居る来訪者及び管理室内に在室の管理人のうち何れかの人物からの呼び出しがある旨の呼出情報、地震の発生、津波の発生、近隣火災の発生等の緊急通報情報をそれぞれ表示し、さらには、操作部３０１の操作情報等を表示するためのものであり、例えば、ＬＣＤ、ＰＤＰ、有機ＥＬディスプレイ等の各種の出画表示媒体で構成されている。また、操作部３０１は、来訪者及び管理人のうち何れかの人物からの呼び出しに居住者が応答し、通話を成立させるための所定の応答操作と、居住者が集合玄関電気錠２又は自住戸の玄関電気錠５ａ、５ｂ、・・・を解錠させるための所定の解錠操作と、居住者が住戸に在室又は不在であるかを設定するための所定の設定操作が行われるものであり、例えば、表示部３００の前面に配置されたタッチパネル上の操作ボタンで構成されている。さらに、通話部３０２は、居住者が来訪者又は管理人との間で通話を成立させるための音声（送話音声、受話音声）を入出力するものであり、例えば、マイク３０２ａ、スピーカ３０２ｂ及びハンドセット３０２ｃで構成されている。なお、操作部３０１は、前述の操作機能の他に、通常、居住者が管理人を呼び出すための所定の呼出操作を行うことができる。また、通話部３０２を構成するスピーカ３０２ｂは、前述の通話機能の他に、来訪者及び管理人のうち何れかの人物からの呼び出しがある旨の呼出音や音声メッセージ等や、地震の発生、津波の発生、近隣火災の発生等の緊急通報情報を警報発報するための警報音や音声メッセージ等を出力することができる。
【００１２】
玄関子機４ａ、４ｂ、・・・はそれぞれ同様な構成であり、複数の住戸毎の住戸玄関に居る人物、例えば、来訪者が、住戸内に在室の居住者を呼び出して通話を成立させるためのものであり、操作部４００、カメラ部４０１及び通話部４０２を有している。ここで、操作部４００は、来訪者が所定の呼出操作を行うものであり、例えば、呼出ボタンで構成されている。また、カメラ部４０１は、呼出操作を行った来訪者の映像や住戸玄関の周囲近傍の映像（監視映像）を撮像するためのものであり、例えば、ＣＣＤ、ＣＭＯＳ等の各種の撮像素子媒体で構成されている。さらに、通話部４０２は、来訪者が居住者との間で通話を成立させるための音声（送話音声、受話音声）を入出力するものであり、例えば、マイク及びスピーカで構成されている。
【００１３】
管理室親機６は、集合玄関に居る来訪者又は複数の住戸のうち特定の住戸内に在室の居住者からの呼び出しが報知され、この呼び出しに応答した管理室内に在室の管理人が通話を成立させるとともに、管理人が、特定の住戸内に在室の居住者を呼び出して通話を成立させる、或いは複数の居住者に対して一斉呼び出しを行うものであり、表示部６００、操作部６０１及び通話部６０２を有している。ここで、表示部６００は、集合玄関機１のカメラ部１０２にて撮像された映像を出画するとともに、集合玄関に居る来訪者又は特定の住戸内に在室の居住者からの呼び出しがある旨の呼出情報を表示し、さらには、操作部６０１の操作情報等を表示するためのものであり、例えば、ＬＣＤ、ＰＤＰ、有機ＥＬディスプレイ等の各種の出画表示媒体で構成されている。また、操作部６０１は、来訪者及び居住者のうち何れかの人物からの呼び出しに管理人が応答するための所定の応答操作が行われるものであり、例えば、表示部６００の前面に配置されたタッチパネル上の操作ボタンで構成されている。さらに、通話部６０２は、管理人が来訪者又は居住者との間で通話を成立させるための音声（送話音声、受話音声）を入出力するものであり、例えば、マイク、スピーカ及びハンドセットで構成されている。なお、操作部６０１は、前述の操作機能の他に、管理人が居住者を呼び出す（一斉呼び出しを含む。）ための所定の呼出操作を行うことができる。また、通話部６０２を構成するスピーカは、前述の通話機能の他に、来訪者又は居住者からの呼び出しがある旨の呼出音や音声メッセージ等を出力することができる。
【００１４】
次に、居室親機３ａ、３ｂ、・・・の具体的な構成について、図２（ａ）のブロック図を参照して説明する。図２（ａ）に示す居室親機３ａ、３ｂ、・・・はそれぞれ同様な構成であり、前述の表示部３００と、操作部３０１と、通話部３０２を構成するマイク３０２ａ、スピーカ３０２ｂ及びハンドセット３０２ｃと、映像処理部３０３と、音声処理部３０４と、ＣＰＵ（以下、居室ＣＰＵという。）３０５と、３つのインターフェース（以下、それぞれ玄関側居室Ｉ／Ｆ、電気錠側居室Ｉ／Ｆ、制御機側居室Ｉ／Ｆという。）３０６、３０７、３０８とを有している。
【００１５】
この居室親機３ａ、３ｂ、・・・において、操作部３０１には、来訪者及び管理人のうち何れかの人物からの呼び出しに居住者が応答し通話を成立させる、或いは、成立中の通話を終了させるために操作する通話ボタン３０１ａと、居住者が集合玄関電気錠２又は自住戸の玄関電気錠５ａ、５ｂ、・・・を解錠させるために操作する解錠ボタン３０１ｂと、居住者が住戸内に在室又は不在であるかを設定するために操作する在室・不在ボタン３０１ｃとが備えられている。
【００１６】
映像処理部３０３は、表示部３００に出画させる映像であり集合玄関機１又は自住戸の玄関子機４ａ、４ｂ、・・・から伝送されてくる映像信号を信号処理する例えば、ＦＭ復調、増幅等を行うためのものである。
【００１７】
音声処理部３０４は、通話部３０２を構成するマイク３０２ａ又はハンドセット３０２ｃのマイクに入力された居住者の音声（送話音声）であり電気信号に信号処理された音声信号を信号処理する例えば、４線／２線変換、増幅等を行うとともに、通話部３０２を構成するスピーカ３０２ｂ又はハンドセット３０２ｃのレシーバから出力させる来訪者又は管理人の音声（受話音声）である音声信号を信号処理する例えば、２線／４線変換、増幅等を行うためのものである。
【００１８】
居室ＣＰＵ３０５は、居室親機３ａ、３ｂ、・・・の構成各部を制御するためのものである。具体的な制御の一例として、居室ＣＰＵ３０５は、操作部３０１を構成する在室・不在ボタン３０１ｃの操作を検出し、検出された操作情報である在室又は不在の設定情報に自機器の居室番号を付加して制御機９に送出することができる。また、居室ＣＰＵ３０５は、操作部３０１を構成する解錠ボタン３０１ｂの操作又は制御機９の制御を検出し、自住戸の玄関電気錠５ａ、５ｂ、・・・を解錠することができる。
【００１９】
玄関側居室Ｉ／Ｆ３０６は、玄関側居室ラインＬ4a、Ｌ4b、・・・から映像処理部３０３への信号伝送路と、玄関側居室ラインＬ4a、Ｌ4b、・・・及び音声処理部３０４の間の信号伝送路（通話路）と、玄関側居室ラインＬ4a、Ｌ4b、・・・及び居室ＣＰＵ３０５の間の信号伝送路とをそれぞれ形成するためのものである。また、電気錠側居室Ｉ／Ｆ３０７は、居室ＣＰＵ３０５から電気錠側居室ラインＬ5a、Ｌ5b、・・・への信号伝送路を形成するためのものである。さらに、制御機側居室Ｉ／Ｆ３０８は、居室側制御ラインＬ3から映像処理部３０３への信号伝送路と、居室側制御ラインＬ3及び音声処理部３０４の間の信号伝送路（通話路）と、居室側制御ラインＬ3及び居室ＣＰＵ３０５の間の信号伝送路とをそれぞれ形成するためのものである。
【００２０】
次に、制御機９の具体的な構成について、図２（ｂ）のブロック図を参照して説明する。図２（ｂ）に示す制御機９は、記憶部９００、ＣＰＵ（以下、制御機ＣＰＵという。）９０１、及び５つのインターフェース（以下、それぞれ集合玄関側制御機Ｉ／Ｆ、電気錠側制御機Ｉ／Ｆ、居室側制御機Ｉ／Ｆ、管理室側制御機Ｉ／Ｆ、ネットワーク側制御機Ｉ／Ｆという。）９０２、９０３、９０４、９０５、９０６を有している。
【００２１】
この制御機９において、記憶部９００は、制御機ＣＰＵ９０１により制御され、居室親機３ａ、３ｂ、・・・の操作部３０１を構成する在室・不在ボタン３０１ｃの操作を検出して居室ＣＰＵ３０５にて生成される在室又は不在の設定情報を記憶するためのものであり、例えば、ＲＡＭ、ＥＥＰＲＯＭ等の各種の記憶媒体で構成されている。
【００２２】
制御機ＣＰＵ９０１は、制御機９及び当該システム全体を制御するためのものである。具体的な制御の一例として、制御機９０１は、外部機器７からの緊急通報情報が受信されたとき記憶部９００の記憶内容を参照し、居室親機３ａ、３ｂ、・・・の操作部３０１を構成する在室・不在ボタン３０１ｃの操作により在室の設定が行われている住戸の玄関電気錠５ａ、５ｂ、・・・を解錠させるための解錠要求信号を生成することができる。
【００２３】
集合玄関側制御機Ｉ／Ｆ９０２は、制御機ＣＰＵ９０１及び集合玄関側制御ラインＬ1の間の信号伝送路を形成するためのものである。また、電気錠側制御機Ｉ／Ｆ９０３は、制御機ＣＰＵ９０１から電気錠側制御ラインＬ2への信号伝送路を形成するためのものである。また、居室側制御機Ｉ／Ｆ９０４は、制御機ＣＰＵ９０１及び居室側制御ラインＬ3の間の信号伝送路を形成するためのものである。また、管理室側制御機Ｉ／Ｆ９０５は、制御機ＣＰＵ９０１及び管理室側制御ラインＬ6の間の信号伝送路を形成するためのものである。さらに、ネットワーク側Ｉ／Ｆ９０６は、汎用ネットワーク８から制御機ＣＰＵ９０１への信号伝送路を形成するためのものである。
【００２４】
このように構成された本発明の実施例による集合住宅インターホンシステムにおいて、以下、具体的な動作について説明する。なお、本発明の実施例において、集合玄関に居る来訪者が管理室内に在室の管理人を呼び出して通話を成立させる動作と、特定の住戸内に在室の居住者が管理人を呼び出して通話を成立させる動作と、管理人が特定の居住者を呼び出して通話を成立させる動作と、管理人が一斉放送を行う動作とはそれぞれ、マンション等の集合住宅に設置される各種のインターホンシステムにおいて公知の技術事項であるため、説明は省略するものとする。
【００２５】
図１、図２（ａ）に示す居室親機３ａ、３ｂ、・・・がそれぞれ設置される住戸の居住者は、自らが住戸内に在室又は不在であるかの設定を、操作部３０１を構成する在室・不在ボタン３０１ｃを操作して行うことができる。この操作を検出した居室ＣＰＵ３０５は、在室又は不在の設定情報に自機器の居室番号を付加した居住者在室・不在設定信号を生成し、制御機側居室Ｉ／Ｆ３０８、居室側制御ラインＬ3、図２（ｂ）に示す制御機９の居室側制御機Ｉ／Ｆ９０４を経由して制御機ＣＰＵ９０１に送出する。なお、居室ＣＰＵ３０５にて生成された居住者在室・不在設定信号は、制御機９の制御機ＣＰＵ９０１のみならず、制御機側居室Ｉ／Ｆ３０８、居室側制御ラインＬ3、設定元を除く他の当該居室親機の制御機側居室Ｉ／Ｆ３０８を経由して居室ＣＰＵ３０５に送出されるものの、設定元を除く他の当該居室親機の居室ＣＰＵ３０５では、受信した居住者在室・不在設定信号が制御機９の制御機ＣＰＵ９０１からの出力信号でないために無効な信号であると判断して何ら動作処理を行わない。
【００２６】
図２（ｂ）に示す制御機９の制御機ＣＰＵ９０１は、受信した居住者在室・不在設定信号を記憶部９００に送出することにより、居室親機３ａ、３ｂ、・・・がそれぞれ設置される住戸の居住者が住戸内に在室又は不在であるかの設定情報を、居室番号に割り当てて記憶部９００に記憶させることができ、この記憶内容は、居住者在室・不在設定信号が受信される毎に書き換えられるものである。
【００２７】
なお、図２（ｂ）に示す制御機９の記憶部９００に記憶された設定情報は、図１に示す管理室親機６の操作部６０１の使用による所定の読出操作を検出した制御機ＣＰＵ９０１の制御（詳述せず。）、或いは制御機ＣＰＵ９０１が有する計時機能による所定のタイミングで読み出すことができる。また、制御機ＣＰＵ９０１の制御により記憶部９００から読み出された設定情報は、管理室側制御機Ｉ／Ｆ９０５、管理室側制御ラインＬ6を経由して管理室親機６に伝送され、表示部６００に表示されるため、管理人にとっては、全住戸の居住者について住戸内に在室又は不在であるかを容易に確認することができる。
【００２８】
次に、居住者による在室・不在の設定・記憶の動作が予め行われている状態において、集合玄関に居る来訪者が特定の居住者を呼び出して通話を成立させるにあたり、ここでは、居室親機３ａが設置される住戸の居住者を呼び出して通話を成立させるために、図１に示す集合玄関機１の操作部１００を使用して所定の呼出操作を行うと、この集合玄関機１では、居室親機３ａを指定するための居室番号を付加した呼出信号が生成され、集合玄関側制御ラインＬ1、制御機９の集合玄関側制御機Ｉ／Ｆ９０２を経由して制御機ＣＰＵ９０１に伝送されるとともに、能動に制御されたカメラ部１０２にて撮像された映像である電気信号の映像信号が、呼出信号と同一の信号伝送路を経由して制御機９の制御御ＣＰＵ９０１に伝送される。
【００２９】
図２（ｂ）に示す制御機９の制御機ＣＰＵ９０１は、受信した呼出信号及び映像信号のうち当該呼出信号に付加されている居室番号に割り当てられて記憶部９００に予め記憶されている居室親機３ａが設置される住戸の居住者が在室又は不在であるかの設定情報を読み出し、読み出された設定情報が在室である場合には、受信した呼出信号を、居室側制御機Ｉ／Ｆ９０４、居室側制御ラインＬ3、図２（ａ）に示す全ての居室親機３ａ、３ｂ、・・・の制御機側居室Ｉ／Ｆ３０８を経由して居室ＣＰＵ３０５にそれぞれ送出するとともに、同様に受信した映像信号を、居室側制御機Ｉ／Ｆ９０４、居室側制御ラインＬ3、全ての居室親機３ａ、３ｂ、・・・の制御機側居室Ｉ／Ｆ３０８を経由して映像処理部３０３にそれぞれ送出する。一方、読み出された設定情報が不在である場合には、受信した呼出信号及び映像信号を、全ての居室親機３ａ、３ｂ、・・・の居室ＣＰＵ３０５及び映像処理部３０３にそれぞれ送出することはなく、不在時呼び出しの呼出情報と受信した映像信号とを記憶部９００に記憶させることができる。なお、記憶部９００に記憶された不在時呼び出しの呼出情報は、通常、外出先から自住戸に帰宅しようとする居住者が、図１に示す集合玄関機１の操作部１００を使用して所定の操作を行うことにより読み出され、表示部１０１に表示されるものである。
【００３０】
図２（ａ）に示す全ての居室親機３ａ、３ｂ、・・・の居室ＣＰＵ３０５はそれぞれ、受信した呼出信号に付加されている居室番号と自機器の居室番号とを照合し、当該居室番号が一致した場合にのみ通話部３０２を構成するスピーカ３０２ｂから呼出音や音声メッセージ等を出力させて集合玄関に居る来訪者からの呼び出しを報知するとともに、表示部３００及び映像処理部３０３がそれぞれ能動となるように制御することにより、映像処理部３０３にて受信され信号処理された映像信号、すなわち、集合玄関機１のカメラ部１０２にて撮像された来訪者の映像を表示部３００に出画させることができ、この表示部３００には、集合玄関に居る来訪者からの呼び出しがある旨の呼出メッセージや絵データ等を表示させ、呼出報知を行うこともできる。ここでは、図２（ｂ）に示す制御機９の記憶部９００に在室の設定情報が記憶されている呼出先の居室親機３ａのみ、前述の呼出報知及び映像の出画がそれぞれ行われることになる。
【００３１】
この後、図１、図２（ａ）に示す居室親機３ａが設置される住戸内に在室の居住者は、集合玄関に居る来訪者からの呼び出しがあることを当該来訪者の判別と併せて確認し、通話を成立させるために操作部３０１を構成する通話ボタン３０１ａを操作すると、この操作を検出した居室ＣＰＵ３０５の制御及び図２（ｂ）に示す制御機９の制御機ＣＰＵ９０１の制御により、呼出先の居住者が使用する居室親機３ａの通話部３０２を構成するマイク３０２ａ及びスピーカ３０２ｂと、音声処理部３０４、制御機側居室Ｉ／Ｆ３０８、居室側制御ラインＬ3、制御機９の居室側制御機Ｉ／Ｆ９０４、制御機ＣＰＵ９０１、集合玄関側制御機Ｉ／Ｆ９０２、集合玄関側制御ラインＬ1を経由して呼出元の来訪者が使用する集合玄関機１の通話部１０３との間の信号伝送路が形成され、形成された信号伝送路を経由して音声信号を送受信させることで通話が成立し、特に、呼出先の居住者にとっては、呼出元の来訪者の映像を確認しながらの通話が可能となる。
【００３２】
なお、前述までの説明では、図１、図２（ａ）に示す居室親機３ａが設置される住戸内に在室の居住者が集合玄関に居る来訪者からの呼び出しに応答して通話を成立させる手段として、通話部３０２を構成するマイク３０２ａ及びスピーカ３０２ｂを適用したが、この通話手段に限定されず、応答操作として取り上げたハンドセット３０２ｃを適用することもできる。
【００３３】
また、図１、図２（ａ）に示す居室親機３ａが設置される住戸内に在室の居住者は、例えば、前述の通話の成立中において呼出元の来訪者を集合住宅内に招き入れるにあたり、操作部３０１を構成する解錠ボタン３０１ｂを操作する。この操作を検出した居室ＣＰＵ３０５は、集合玄関電気錠２を解錠させるための解錠要求信号を生成し、制御機側居室Ｉ／Ｆ３０８、居室側制御ラインＬ3、図２（ｂ）に示す制御機９の居室側制御機Ｉ／Ｆ９０４を経由して制御機ＣＰＵ９０１に送出する。なお、居室ＣＰＵ３０５にて生成された解錠要求信号は、前述の居住者在室・不在設定信号と同様、制御機９の制御機ＣＰＵ９０１のみならず解錠要求元を除く他の当該居室親機の居室親機ＣＰＵ３０５に送出されるものの、解錠要求元を除く他の当該居室親機の居室親機ＣＰＵ３０５では、受信した解錠要求信号が制御機９の制御機ＣＰＵ９０１からの出力信号でないために無効な信号であると判断して何ら動作処理を行わない。
【００３４】
図２（ｂ）に示す制御機９の制御機ＣＰＵ９０１は、受信した解錠要求信号をもとに居室親機３ａが設置される住戸内に在室の居住者による解錠要求があったことを検出し、集合玄関電気錠２を解錠させるための解錠制御信号を生成し、電気錠側制御機Ｉ／Ｆ９０３、電気錠側制御ラインＬ2を経由して集合玄関電気錠２に送出することにより、この集合玄関電気錠２が（一定時間）解錠され、来訪者は、集合玄関電気錠２が解錠された集合玄関から集合住宅内に入り居室親機３ａが設置される住戸に向かうことができる。
【００３５】
次に、前述のように集合玄関から集合住宅内に入り、図１に示す居室親機３ａが設置される住戸の住戸玄関に辿り着いた来訪者が居住者を呼び出して通話を成立させるにあたり、玄関子機４ａの操作部４００を使用して所定の呼出操作を行うと、この玄関子機４ａでは呼出信号が生成され、玄関側居室ラインＬ4a、図２（ａ）に示す居室親機３ａの玄関側居室Ｉ／Ｆ３０６を経由して居室ＣＰＵ３０５に伝送されるとともに、能動に制御されたカメラ部４０１にて撮像された映像である電気信号の映像信号が、玄関側居室ラインＬ4a、玄関側居室Ｉ／Ｆ３０６を経由して映像処理部３０３に伝送される。
【００３６】
図２（ａ）に示す居室親機３ａの居室ＣＰＵ３０５は、呼出信号を受信すると通話部３０２を構成するスピーカ３０２から呼出音や音声メッセージ等を出力させて自住戸の住戸玄関に居る来訪者からの呼び出しを報知するとともに、表示部３００及び映像処理部３０３がそれぞれ能動となるように制御することにより、映像処理部３０３にて受信され信号処理された映像信号、すなわち、玄関子機４ａのカメラ部４０１にて撮像された来訪者の映像を表示部３００に出画させることができ、この表示部３００には、自住戸の住戸玄関に居る来訪者からの呼び出しがある旨の呼出メッセージや絵データ等を表示させ、呼出報知を行うこともできる。
【００３７】
この後、図１、図２（ａ）に示す居室親機３ａが設置される住戸内に在室の居住者は、自住戸の住戸玄関に居る来訪者からの呼び出しがあることを当該来訪者の判別と併せて確認し、通話を成立させるために操作部３０１を構成する通話ボタン３０１ａを操作すると、この操作を検出した居室ＣＰＵ３０５の制御により、呼出先の居住者が使用する居室親機３ａの通話部３０２を構成するマイク３０２ａ及びスピーカ３０２ｂと、音声処理部３０４、玄関側親機Ｉ／Ｆ３０６、玄関側居室ラインＬ4aを経由して呼出元の来訪者が使用する図１に示す玄関子機４ａの通話部４０２との間の信号伝送路が形成され、形成された信号伝送路を経由して音声信号を送受信させることで通話が成立し、特に、呼出先の居住者にとっては、呼出元の来訪者の映像を確認しながらの通話が可能となる。
【００３８】
なお、前述までの説明では、図１、図２（ａ）に示す居室親機３ａが設置される住戸内に在室の居住者が自住戸の住戸玄関に居る来訪者からの呼び出しに応答して通話を成立させる手段として、通話部３０２を構成するマイク３０２ａ及びスピーカ３０２ｂを適用したが、この通話手段に限定されず、応答操作として取り上げたハンドセット３０２ｃを適用することもできる。
【００３９】
また、図１、図２（ａ）に示す居室親機３ａが設置される住戸内に在室の居住者は、例えば、前述の通話の成立中において呼出元の来訪者を自住戸内に招き入れるにあたり、操作部３０１を構成する解錠ボタン３０１ｂを操作する。この操作を検出した居室ＣＰＵ３０５は、自住戸の玄関電気錠５ａを解錠させるための解錠制御信号を生成し、電気錠側居室Ｉ／Ｆ３０７、電気錠側居室ラインＬ5aを経由して玄関電気錠５ａに送出することにより、この玄関電気錠５ａが（一定時間）解錠され、来訪者は、玄関電気錠５ａが解錠された住戸玄関から住戸内に入ることができる。
【００４０】
次に、居住者による在室・不在の設定・記憶の動作が予め行われている状態において、気象庁や防災管理会社等に設置される図１に示す外部機器７にて地震の発生、津波の発生、近隣火災の発生等の緊急通報情報が生成されると、この緊急通報情報は、汎用ネットワーク８、図２（ｂ）に示す制御機９のネットワーク側制御機Ｉ／Ｆ９０６を経由して制御機ＣＰＵ９０１に伝送される。
【００４１】
図２（ｂ）に示す制御機９の制御機ＣＰＵ９０１は、外部機器７からの緊急通報情報を受信すると、記憶部９００に予め記憶されている居室親機３ａ、３ｂ、・・・が設置される住戸の居住者が在室又は不在であるかの設定情報を読み出し、読み出された設定情報が在室である住戸を指定するための居室番号、在室である住戸の当該玄関電気錠を解錠させるための解錠要求信号及び前述の緊急通報情報を付加した緊急通報制御信号を生成する。この緊急通報制御信号は、制御機ＣＰＵ９０１から居室側制御機Ｉ／Ｆ９０４、居室側制御ラインＬ3、図２（ａ）に示す全ての居室親機３ａ、３ｂ、・・・の制御機側居室Ｉ／Ｆ３０８を経由して居室ＣＰＵ３０５にそれぞれ伝送される。
【００４２】
図２（ａ）に示す全ての居室親機３ａ、３ｂ、・・・の居室ＣＰＵ３０５はそれぞれ、受信した緊急通報制御信号に付加されている居室番号と自機器の居室番号とを照合し、当該居室番号が一致した場合にのみ通話部３０２を構成するスピーカ３０２ｂから警報音や音声メッセージ等を出力させるとともに、警報メッセージや絵データ等を表示部３００に表示させて地震の発生、津波の発生、近隣火災の発生等の緊急通報情報を警報発報し、さらには、自住戸の玄関電気錠５ａ、５ｂ、・・・を解錠させるための解錠制御信号を生成することができる。
【００４３】
ここで、図１、図２（ａ）に示す居室親機３ａ、３ｂ、・・・のうち例えば、前述のように居住者が住戸内に在室しており来訪者を招き入れることが可能な居室親機３ａが在室である旨の設定情報と、その他の居室親機３ｂ、・・・が不在である旨の設定情報とがそれぞれが制御機９の記憶部９００に予め記憶されていたとすると、全ての居室親機３ａ、３ｂ、・・・の居室ＣＰＵ３０５のうち、居室親機３ａの居室ＣＰＵ３０５のみ受信した緊急通報制御信号に付加されている居室番号と自機器の居室番号とが一致し前述の警報発報が行われるとともに、自住戸の玄関電気錠５ａを解錠させるための解錠制御信号が生成されるため、この解錠制御信号を、電気錠側居室Ｉ／Ｆ３０７、電気錠側居室ラインＬ5aを経由して玄関電気錠５ａに送出することにより、玄関電気錠５ａが通常の解錠時間よりも長く、或いは恒久的に解錠され、居住者は、住戸内から住戸外へと迅速に避難することができるとともに、外部からの救助活動が容易となるため、居住者の安全性が高められる。
【００４４】
なお、前述までの説明によれば、居住者による在室・不在の設定・記憶の動作が予め行われている状態における外部機器７からの緊急通報信号を受信した制御機９の制御機ＣＰＵ９０１の制御として、居住者が在室である住戸の居室親機３ａ、３ｂ、・・・にて緊急通報情報の警報発報を行い玄関電気錠５ａ、５ｂ、・・・を解錠するための緊急通報制御信号を生成させたが、この制御に限定されるものではない。例えば、集合玄関機１の表示部１０１及び通話部１０３、管理室親機６の表示部６００及び通話部６０２をそれぞれ使用して所定の警報発報を行うこともでき、また、緊急通報の重要度に応じて集合玄関電気錠２を解錠させることもでき、さらには、居住者が不在である住戸の居室親機３ｂ、・・・にて緊急通報情報の警報発報を行うこともできる。
【００４５】
また、本発明の実施例による集合住宅インターホンシステムにおいては、記憶部９００及び制御機ＣＰＵ９０１を別体で制御機９に設けたが、この態様に限定されるものではない。例えば、記憶部９００を制御機ＣＰＵ９０１の内部に備えることもでき、回路構成が簡素化される。
【００４６】
さらに、本発明の実施例による集合住宅インターホンシステムにおいて、地震の発生、津波の発生、近隣火災の発生等の緊急通報情報を警報発報し、自住戸の玄関電気錠５ａ、５ｂ、・・・を解錠させた後、居住者の安全性が確認された場合には、例えば、管理人による管理室親機６の操作部６０１の操作を検出した制御機９の制御機ＣＰＵ９０１による居室親機３ａ、３ｂ、・・・の居室ＣＰＵ３０５への制御をもとに、玄関電気錠５ａ、５ｂ、・・・を一斉施錠させることもできる。
【００４７】
本発明の集合住宅インターホンシステムにおいては、特定の実施の形態をもって説明してきたが、この形態に限定されるものでなく、本発明の効果を奏する限り、これまで知られた如何なる構成の集合住宅インターホンシステム、例えば、玄関子機４ａ、４ｂ、・・・にカメラ部４０１が不備とされる当該玄関子機を有する集合住宅インターホンシステムや、管理室がなく管理室親機６が不要とされる集合住宅インターホンシステムであっても採用できるということはいうまでもないことである。
【図面の簡単な説明】
【００４８】
【図１】図１は、本発明の実施例による集合住宅インターホンシステムの全体（外観）構成を示すシステム説明図である。
【図２】図２（ａ）は、本発明の実施例によるインターホンシステムにおいて、居室親機の具体的な構成を示すブロック図である。また、図２（ｂ）は、本発明の実施例によるインターホンシステムにおいて、制御機の具体的な構成を示すブロック図である。
【符号の説明】
【００４９】
１……集合玄関機
３ａ、３ｂ、・・・ ……居室親機
３０１ｃ……在室・不在ボタン
３０５……居室ＣＰＵ
５ａ、５ｂ、・・・ ……玄関電気錠
９……制御機
９００……記憶部
９０１……制御機ＣＰＵ
７……外部機器
【図１】
0004989395.tif 000002
【図２】
0004989395.tif 000003